(57)【要約】【課題】携帯情報端末と外部機器との有線通信の中継中に、携帯情報端末の無線通信の受信感度劣化を防ぐことである。【解決手段】有線通信及び無線通信を行う携帯情報端末が装着可能な装着手段と、前記装着された携帯情報端末の有線通信の接続端子に接続される信号端子２３２，２３３と、外部機器に接続するための通信ケーブルが接続されるＵＳＢコネクタ８と、が搭載された配線基板２１と、を備え、配線基板２１は、信号端子２３２，２３３とＵＳＢコネクタ８の端子とにそれぞれ対応する端子同士が相互接続され、信号を伝送する信号線２１３，２１４と、信号線２１３，２１４を伝送される信号のうち、前記携帯情報端末の無線通信に対応する周波数帯域のコモンモードの信号を減衰するコイル３０７，３０８，３１１，３１２，３１５，３１６、コンデンサ３０９，３１０，３１３，３１４と、を備える。【選択図】図７
2008172691.tif 000002
【特許請求の範囲】
【請求項１】
有線通信及び無線通信を行う携帯情報端末が装着可能な装着手段と、
前記装着された携帯情報端末の有線通信の接続端子に接続される信号端子と、外部機器に接続するための通信ケーブルが接続される通信コネクタと、が搭載された配線基板と、を備え、
前記配線基板は、
前記信号端子と前記通信コネクタの端子とにそれぞれ対応する端子同士が相互接続され、信号を伝送する信号線と、
前記信号線を伝送される信号のうち、前記携帯情報端末の無線通信に対応する周波数帯域のコモンモードの信号を減衰する減衰手段と、を備えることを特徴とする携帯情報端末用クレードル。
【請求項２】
前記減衰手段は、前記信号線に並列に接続されるコンデンサと、前記信号線に直列に接続されるコイルと、を備え、前記コンデンサと前記コイルとの組み合わせにより、前記携帯情報端末の無線通信の周波数帯域のコモンモードの信号を減衰することを特徴とする請求項１に記載の携帯情報端末用クレードル。
【請求項３】
前記減衰手段は、前記信号線に並列に接続されるコンデンサと、前記信号線に直列に接続されるコイルと、を備え、前記コンデンサと前記信号線のラインインダクタ及び前記コイルとの組み合わせにより、前記携帯情報端末の無線通信の周波数帯域のコモンモードの信号を減衰することを特徴とする請求項１に記載の携帯情報端末用クレードル。
【請求項４】
前記減衰手段は、前記信号線に並列に接続されるコンデンサを備え、前記コンデンサと前記信号線のラインインダクタとの組み合わせにより、前記携帯情報端末の無線通信の周波数帯域のコモンモードの信号を減衰することを特徴とする請求項１に記載の携帯情報端末用クレードル。
【請求項５】
前記信号端子は、スプリングを有するスプリングコンタクトであり、
前記減衰手段は、前記スプリングに接続された前記コイルのインダクタンスが、
前記スプリングコンタクトの電気的等価のインダクタンスに比し大きいことを特徴とする請求項２又は３に記載の携帯情報端末用クレードル。
【発明の詳細な説明】
【技術分野】
【０００１】
本発明は、携帯情報端末用クレードルに関する。
【背景技術】
【０００２】
従来、携帯情報端末としての携帯電話機を充電するためのクレードルに有線通信中継機能を設けたものがあった（例えば、特許文献１参照）。また、携帯情報端末としてデジタルカメラを充電するためのクレードルに有線通信中継機能を設けたものがあった（例えば、特許文献２参照）。クレードルに携帯情報端末を装着した状態で、クレードルの通信端子に通信ケーブルを介してＰＣ（Personal Computer）などの外部機器を接続する。この状態で、携帯情報端末と外部機器との間の有線通信を行う。この有線通信方式としては、例えば、ＵＳＢ（Universal Serial Bus）の方式が使用される。
【０００３】
有線通信中継機能付のクレードルにおいて、携帯情報端末と外部機器との有線通信中継中に、携帯情報端末の無線通信の受信を行う場合に、クレードルの通信回路にコモンモードノイズが発生すると、携帯情報端末の無線通信の受信が確実に行われないおそれがあった。
【０００４】
ここで、図１６を参照して、従来のＵＳＢ通信機能を有するＵＳＢクレードルのノイズ放射について説明する。図１６に、従来のＵＳＢクレードルの配線基板２１Ｃの回路構成の概略を示す。図１６に示すように、配線基板２１Ｃは、その裏面に、スルーホール３０１〜３０６，３１７と、ＧＮＤ部２１５ａと、ＵＳＢの信号線としてのＤ＋ライン２１３Ｃ及びＤ−ライン２１４Ｃと、を備えて構成される。ＵＳＢクレードルに携帯情報端末が接続された状態を考える。
【０００５】
充電端子２２２は、ＧＮＤ部２１５ａと携帯情報端末のＧＮＤ電極とに接続される。信号端子２３２は、Ｄ＋ライン２１３Ｃと携帯情報端末のＤ＋電極とに接続される。信号端子２３３は、Ｄ−ライン２１４Ｃと携帯情報端末のＤ−電極とに接続される。スルーホール３０３は、Ｄ＋ライン２１３ＣとＵＳＢコネクタ８のＤ＋電極とに接続される。スルーホール３０４は、Ｄ−ライン２１４ＣとＵＳＢコネクタ８のＤ−電極とに接続される。ＵＳＢコネクタ８は、外部機器に接続されたＵＳＢケーブルが接続される。
【０００６】
図１６の構成により、携帯情報端末と外部機器とがＵＳＢ通信を行い、配線基板２１Ｃを含むＵＳＢクレードルがＵＳＢ通信を中継する。通常ＵＳＢクレードルは、図１６のような構造でできているが、配線基板２１Ｃ内のパターンはともかく、スプリングコンタクトである充電端子２２２，信号端子２３２，２３３等が横一列に並ぶ構造であるため、ＵＳＢ規格である、差動９０Ω、同相３０Ωの特性から著しくはなれた値となっている。また構造上、Ｄ＋の信号端子２３２とＧＮＤの充電端子２２２とが離れており、開放構造なのでノイズを放射しやすかった。特に、差動モードに比べてコモンモードのノイズの影響が大きかった。
【０００７】
そのため、携帯情報端末と外部機器とでＵＳＢ通信を行っている際の携帯情報端末の電波・受信感度は最大で約２０ｄＢ低下するという不具合があった。これは、ＵＳＢ１．１（１２［Ｍｂｐｓ］）信号の高調波が、携帯情報端末の無線通信の受信周波数帯域である８００［ＭＨz］帯にまでにおよび、主にこのスプリングコンタクトとしての充電端子及び信号端子から放射されているためであった。このためＵＳＢ伝送中に着信がかかった場合、極度の受信感度低下で応答できないことになってしまっていた。
【０００８】
また、一般的なコモンモードノイズ対策の回路としては、３巻き線のコモンモードチョークコイルを用いる構成が考えられている（例えば、特許文献３参照）。コモンモードチョークコイルは、高周波帯においてコモンモード信号に対し高インピーダンスを持つため、コモンモードノイズ信号を通過させない。
【特許文献１】特開２００３−１６３７３５号公報
【特許文献２】特開２００３−２６４７３７号公報
【特許文献３】特開２００６−１９１５５１号公報
【発明の開示】
【発明が解決しようとする課題】
【０００９】
しかし、従来の有線通信中継機能付のクレードルは、コモンモードノイズを減衰するような対策がとられていなく、携帯情報端末の無線通信の受信感度劣化が発生するおそれがあった。たとえ、有線通信中継機能付のクレードルに、３巻き線のコモンモードチョークコイルを用いても、コモンモードチョークコイルのインピーダンスにも限界があるため、ノイズに対し、充分な減衰が得られなかった。
【００１０】
本発明の課題は、携帯情報端末と外部機器との有線通信の中継中に、携帯情報端末の無線通信の受信感度劣化を防ぐことである。
【課題を解決するための手段】
【００１１】
上記課題を解決するために、請求項１に記載の発明の携帯情報端末用クレードルは、
有線通信及び無線通信を行う携帯情報端末が装着可能な装着手段と、
前記装着された携帯情報端末の有線通信の接続端子に接続される信号端子と、外部機器に接続するための通信ケーブルが接続される通信コネクタと、が搭載された配線基板と、を備え、
前記配線基板は、
前記信号端子と前記通信コネクタの端子とにそれぞれ対応する端子同士が相互接続され、信号を伝送する信号線と、
前記信号線を伝送される信号のうち、前記携帯情報端末の無線通信に対応する周波数帯域のコモンモードの信号を減衰する減衰手段と、を備えることを特徴とする。
【００１２】
請求項２に記載の発明は、請求項１に記載の携帯情報端末用クレードルにおいて、
前記減衰手段は、前記信号線に並列に接続されるコンデンサと、前記信号線に直列に接続されるコイルと、を備え、前記コンデンサと前記コイルとの組み合わせにより、前記携帯情報端末の無線通信の周波数帯域のコモンモードの信号を減衰することを特徴とする。
【００１３】
請求項３に記載の発明は、請求項１に記載の携帯情報端末用クレードルにおいて、
前記減衰手段は、前記信号線に並列に接続されるコンデンサと、前記信号線に直列に接続されるコイルと、を備え、前記コンデンサと前記信号線のラインインダクタ及び前記コイルとの組み合わせにより、前記携帯情報端末の無線通信の周波数帯域のコモンモードの信号を減衰することを特徴とする。
【００１４】
請求項４に記載の発明は、請求項１に記載の携帯情報端末用クレードルにおいて、
前記減衰手段は、前記信号線に並列に接続されるコンデンサを備え、前記コンデンサと前記信号線のラインインダクタとの組み合わせにより、前記携帯情報端末の無線通信の周波数帯域のコモンモードの信号を減衰することを特徴とする。
【００１５】
請求項５に記載の発明は、請求項２又は３に記載の携帯情報端末用クレードルにおいて、  
前記信号端子は、スプリングを有するスプリングコンタクトであり、
前記減衰手段は、前記スプリングに接続された前記コイルのインダクタンスが、前記スプリングコンタクトの電気的等価のインダクタンスに比し大きいことを特徴とする。
【発明の効果】
【００１６】
本発明によれば、携帯情報端末と外部機器との有線通信の中継中に、携帯情報端末の無線通信の受信感度劣化を防ぐことができる。
【発明を実施するための最良の形態】
【００１７】
以下、添付図面を参照して本発明に係る好適な実施の形態及びその変形例を順に詳細に説明する。なお、本発明は、図示例に限定されるものではない。
【００１８】
図１〜図１３を参照して、本発明に係る実施の形態を説明する。先ず、図１〜図５を参照して、本実施の形態の装置の構造を説明する。図１に、本実施の形態のＵＳＢクレードル２への携帯電話機１の装着の仕方を示す。図２に、携帯電話機１を下方から見た構造を示す。図３に、携帯電話機１を斜視した構造を示す。
【００１９】
本実施の形態では、図１に示すように、携帯情報端末としての携帯電話機１と、携帯情報端末用クレードルとしてのＵＳＢクレードル２と、を備えて構成される。
【００２０】
携帯電話機１は、基地局を介する無線通信により、通話先の機器との通話や、コンテンツサーバ等の機器と各種データの送受信が可能な装置である。ＵＳＢクレードル２は、携帯電話機１が装着された状態で、携帯電話機１に充電を行うとともに、ＰＣ等の外部機器と携帯電話機１との間の有線通信（ＵＳＢ）を中継する。また、携帯電話機１の無線通信の周波数帯域を８００［ＭＨｚ］帯とする。
【００２１】
携帯電話機１は、図２及び図３に示すように、一対の筐体１０，１１をヒンジ結合した折り畳み式のもので、一方の筐体１１の一側面に充電端子面１２１，１２２及び信号端子面１３１〜１３３を備えている。図示例では、一対の充電端子面１２１，１２２の間に三個の信号端子面１３１〜１３３が並んでいる。
【００２２】
なお、筐体１１のヒンジ結合部側の端部１５には、図示しないアンテナが内蔵されており、このアンテナ内蔵の端部１５の近傍に充電端子面１２１，１２２及び信号端子面１３１から１３３が位置している。
【００２３】
図４に、ＵＳＢクレードル２を斜視した構造を示す。図５に、携帯電話機１装着状態のＵＳＢクレードル２を縦断して示す。
【００２４】
ＵＳＢクレードル２は、図４及び図５に示すように、下ケース２０、配線基板２１、装着手段としての上ケース２６及びカバー２７などにより構成されている。
【００２５】
下ケース２０の上方に位置する配線基板２１には、充電端子２２１，２２２及び信号端子２３１〜２３３が搭載されるとともに、電源ケーブル用（ＡＣアダプタ用）のコネクタ７（図６に示す）及びＵＳＢコネクタ８が搭載されている。
【００２６】
充電端子２２１，２２２は、スプリングコンタクトであり、それぞれコイルバネ状のスプリング２２ａを有する。信号端子２３１〜２３３は、同様に、スプリングコンタクトであり、それぞれコイルバネ状のスプリング２３ａを有する。充電端子２２１，２２２、信号端子２３１〜２３３は、携帯電話機１をＵＳＢクレードル２に装着した際、携帯電話機１の側面にある電極としての充電端子面１２１，１２２、信号端子面１３１〜１３３に接触し適度な押圧を保ち、電気的導通を保つ。
【００２７】
充電端子２２１，２２２及び信号端子２３１〜２３３は、一対の充電端子２２１，２２２の間に三本の信号端子２３１〜２３３が並んでいる。
【００２８】
コネクタ７は、交流電源の交流を直流に変換する図示しないＡＣアダプタの電源ケーブルを接続するためのコネクタである。コネクタ７は、そのＡＣアダプタから直流の電源電流が供給される。ＵＳＢコネクタ８は、図示しないＵＳＢケーブルを接続するためのコネクタである。このＵＳＢケーブルは、一端がＵＳＢコネクタ８に接続され、もう一端がＰＣ等の外部機器に接続される。このＵＳＢケーブルの接続状態で、携帯電話機１と外部機器との間で有線通信が行われ、その有線通信をＵＳＢクレードル２が中継する。
【００２９】
図５に示すように、携帯電話機１を装着した状態のＵＳＢクレードル２は、バネ状の信号端子２３１が信号端子面１３１に接触状態となる。この時、図示しないが、バネ状の信号端子２３２，２３３、充電端子２２１，２２２も、信号端子面１３２，１３３、充電端子面１２１，１２２に接触状態となる。
【００３０】
次いで、図６〜図９を参照して、ＵＳＢクレードル２の電気回路の構成を説明する。図６に、充電端子２２１，２２２及び信号端子２３１〜２３３と、携帯電話機１との接続を示す。図７に、配線基板２１の裏面の回路構成の概略を示す。図８に、図７の回路構成の等価回路を示す。図９に、図８の等価回路のコモンモード成分の回路を示す。
【００３１】
図６に示すように、携帯電話機１において、充電端子面１２１、信号端子面１３１〜１３３、充電端子面１２２が、左から順に並んで設けられる。配線基板２１は、両面基板である。配線基板２１の表面に、充電端子２２１、信号端子２３１〜２３３、充電端子２２２が、左から順に並んで設けられる。つまり、充電端子面１２１、信号端子面１３１〜１３３、充電端子面１２２に、順に、充電端子２２１、信号端子２３１〜２３３、充電端子２２２が接続される。また、配線基板２１の裏面に、ＡＣ電源ライン２１１と、ＵＳＢの電源ラインとしてのＶBUSライン２１２と、ＵＳＢの信号線としてのＤ＋ライン２１３及びＤ−ライン２１４と、ＡＣ電源及びＵＳＢ電源のＧＮＤライン２１５，２１６と、が形成されている。
【００３２】
充電端子面１２１は、（＋）電源（ＡＣ電源）（Ｖchg）の電極である。充電端子２２１は、ＡＣ電源ライン２１１を介してコネクタ７の（＋）電源電極に接続される。充電端子面１２２は、接地電極（ＧＮＤ）である。充電端子２２２は、ＧＮＤライン２１５，２１６を介してコネクタ７及びＵＳＢコネクタ８のＧＮＤ電極に接続される。
【００３３】
信号端子面１３１は、ＵＳＢの電源（ＶBUS）の電極である。信号端子２３１は、ＶBUSライン２１２を介してＵＳＢコネクタ８の電源電極に接続される。信号端子面１３２は、ＵＳＢの信号線（Ｄ＋）の電極である。信号端子２３２は、Ｄ＋ライン２１３を介してＵＳＢコネクタ８のＤ＋の電極に接続される。信号端子面１３３は、ＵＳＢの信号線（Ｄ−）の電極である。信号端子２３３は、Ｄ−ライン２１４を介してＵＳＢコネクタ８のＤ−の電極に接続される。
【００３４】
ここで、Ｄ＋ライン２１３及びＤ−ライン２１４の回路構成について説明する。図７に示すように、配線基板２１は、裏面に、スルーホール３０１〜３０６，３１７と、ＧＮＤ部２１５ａと、Ｄ＋ライン２１３と、Ｄ−ライン２１４と、減衰手段としてのコイル（チップインダクタ）３０７，３０８，３１１，３１２，３１５，３１６及びコンデンサ（チップキャパシタ）３０９，３１０，３１３，３１４と、を備えて構成される。
【００３５】
スルーホール３０１〜３０４は、配線基板２１の表面に設けられたＵＳＢコネクタ８に対応する位置に設けられる。スルーホール３０１は、ＵＳＢコネクタ８のＧＮＤ電極及びＧＮＤ部２１５ａに接続される。スルーホール３０２は、図示しないＶBUSラインを介して信号端子２３１に接続される。スルーホール３０３は、Ｄ＋ライン２１３とＵＳＢコネクタ８のＤ＋電極とに接続される。スルーホール３０４は、Ｄ−ライン２１４とＵＳＢコネクタ８のＤ−電極とに接続される。
【００３６】
スルーホール３０５は、Ｄ＋ライン２１３と信号端子２３２とに接続される。スルーホール３０６は、Ｄ−ライン２１４と信号端子２３３とに接続される。スルーホール３１７は、ＧＮＤ部２１５ａ及び充電端子２２２に接続される。
【００３７】
Ｄ＋ライン２１３は、スルーホール３０３，３０５間に設けられる。Ｄ＋ライン２１３上に、スルーホール３０３からスルーホール３０５へ順に、コイル３０７（直列），コンデンサ３０９（並列）、コイル３１１（直列）、コンデンサ３１３（並列）、コイル３１５（直列）を備えて構成される。また、Ｄ−ライン２１４上に、スルーホール３０４からスルーホール３０６へ順に、コイル３０８（直列），コンデンサ３１０（並列）、コイル３１２（直列）、コンデンサ３１４（並列）、コイル３１６（直列）を備えて構成される。コンデンサ３０９，３１３は、それぞれ、Ｄ＋ライン２１３とＧＮＤ部２１５ａとの間に設けられる。コンデンサ３１０，３１４は、それぞれ、Ｄ−ライン２１４とＧＮＤ部２１５ａとの間に設けられる。
【００３８】
図７のパターン回路は、図８に示すような回路（伝送信号源を含む）に等価となる。信号源Ｖ１は、偶数モード信号源（コモンモード信号源）である。信号源Ｖ２，Ｖ３は、奇数モード信号源（差動信号源）である。図８では、ＵＳＢコネクタ８側（外部機器側）に信号源を置いたが、ＵＳＢ通信は双方向性なので、携帯電話機１側の場合、信号源は充電端子（２２２、図８には図示しない）、信号端子（２３２，２３３）側になる。ただし図８の構造は左右対称なので原理説明では、外部機器側の信号源として行う。
【００３９】
信号源Ｖ１〜Ｖ３のうち、ノイズ放射にかかわるのは信号源Ｖ１である。信号源Ｖ２，Ｖ３は、その電流が、信号源Ｖ２の＋端子→コイル３０８→コイル３１２→コイル３１６→信号端子２３３→携帯電話機１内の差動インピーダンス負荷→信号端子２３２→コイル３１５→コイル３１１→コイル３０７→信号源Ｖ３の−端子→信号源Ｖ３の＋端子→信号源Ｖ２の−端子、と一周する。また、そのループ内の開放面積が狭く、かつその電流方向が互いに逆なので打ち消しあい、結果ノイズ放射しにくい性質を持つ。
【００４０】
ノイズ放射しやすい成分は、信号源Ｖ１の成分である。図７に示すＤ＋ライン２１３及びＤ−ライン２１４のパターンは、裏面のＧＮＤ部２１５ａが、ＧＮＤベタでなく、ＧＮＤ抜きである。通常、配線基板２１は、機構構造的な要求から、約１．０ｍｍの厚さが必要で、この厚さのガラスエポキシ基板では適度なパターン形状に納めるにはＧＮＤ抜きをしないと伝送インピーダンス上、成立しないためである。このＧＮＤ抜きであることから、開放面積が大きい。また信号端子２３２，２３３とＧＮＤの充電端子２２２とが離れており開放構造である。このため、信号源Ｖ１の成分は、よりノイズ放射しやすい。
【００４１】
図８の回路図を、信号源Ｖ１成分に着目して、等価すると図９に示す回路となる。図９の回路では、信号源Ｖ１から信号端子２３（信号端子２３２，２３３を合成したもの）へ一ライン上に、コイル３２１（直列），コンデンサ３２２（並列）、コイル３２３（直列）、コンデンサ３２４（並列）、コイル３２５（直列）を備えて構成される。
【００４２】
Ｄ＋ライン２１３及びＤ−ライン２１４は、信号源Ｖ１に対し、平行線路上、相対するどのポイントでも同電位なので各、Ｃ，Ｌ各成分は並列接続した形となる。
各コイルのインダクタンスを、コイル３０７，３０８＝L1、コイル３１１，３１２＝L2、コイル３１５，３１６＝L3とし、各コンデンサの電気容量を、コンデンサ３０９，３１０＝C1、コンデンサ３１３，３１４＝C2とする。
【００４３】
コイル３２１，３２３，３２５のインダクタンスは、順に、（L1）/2、（L2）/2、(L3)/2となる。コンデンサ３２２，３２４の電気容量は、順に、2×C1、2×C2となる。コイル３２１，３２３及びコンデンサ３２２は、一つのＴ型ＬＰＦ（Low Pass Filter）を形成する。コイル３２３，３２５及びコンデンサ３２４は、一つのＴ型ＬＰＦを形成する。このため、２つのＬＰＦを有する回路となり、信号源Ｖ１に対し、フィルタをかける高周波の帯域を、携帯電話機１の無線通信の受信周波数帯域（８００［ＭＨｚ］帯）になるよう各インダクタンス及び電気容量を調整すれば、無線通信の受信の障害となるノイズを減衰できる。
【００４４】
また、信号端子２３２，２３３のスプリング２３ａは、携帯電話機１を装着時に適度な押圧を保つためにある。この場合スプリング２３ａは、３回巻きのコイルスプリング形状であり、携帯電話機１の装着により収縮し適度なバネ圧を発生する機構部品である。しかしながら、コイル部の巻き形状は密着しておらず、わずかながらピッチ間のギャップがあり、これは電気的にみればコイルインダクタンスを持つ電気部品ともいえる。このコイルピッチ間のギャップが毎回ごとの携帯電話１の装着で変化すると、スプリング２３ａのインダクタンスが変化することとなる。このため、図８の等価回路においてスプリング２３ａをコイルとして考えると、スプリング２３ａのインダクタンスの変化により、等価回路のカットオフ周波数も変化する。
【００４５】
このため、スプリング２３ａ近傍のコイル３１５，３１６のインダクタンスを、
スプリング２３ａのコイル部の電気的等価のインダクタンスに比し、大きく設定する。すると、コイル３１５及びコンデンサ３１３を含むＬＰＦのカットオフ周波数について、信号端子２３２のスプリング２３ａのインダクタンスの変化の影響を低減できる。同様に、コイル３１６及びコンデンサ３１４によるＬＰＦのカットオフ周波数について、信号端子２３３のスプリング２３ａのインダクタンスの変化の影響を低減できる。
【００４６】
次いで、図１０〜図１３を参照して、図７に示す配線基板２１のＤ＋ライン２１３及びＤ−ライン２１４の回路構成における特性を説明する。図１０に、コモンモード時及び差動モード時におけるＤ＋ライン２１３及びＤ−ライン２１４のフィルタリング特性の一例（概略）を示す。図１１に、コモンモード時におけるＤ＋ライン２１３及びＤ−ライン２１４の計測したフィルタリング特性を示す。図１２に、差動モード時におけるＤ＋ライン２１３及びＤ−ライン２１４の計測したフィルタリング特性を示す。図１３に、ノイズの減衰の状態を示す。
【００４７】
例えば、図１０に示す配線基板２１のＤ＋ライン２１３及びＤ−ライン２１４の回路構成におけるフィルタリング特性を設定する場合を考える。図１０では、周波数に対するフィルタリングのゲインのデジベル量を示す。Ｓｃｃ２１とは、コモンモードにおけるポート１からポート２への信号エネルギー量の順方向伝送特性である。Ｓｃｃ２１の２文字目のｃは、ポート２がコモンモードであることを示す。同じく３文字目のｃは、ポート１がコモンモードであることを示す。ここでは、ポート１をＵＳＢコネクタ８側のＤ＋端子、Ｄ−端子とし、ポート２を信号端子２３２，２３３の先端とした。
【００４８】
また、Ｓｃｃ１２は、Ｓｃｃ２１の逆方向の伝送特性となる。Ｓｄｄ２１とは、同様に、差動モードにおけるポート１からポート２への信号エネルギー量の順方向伝送特性である。また、Ｓｄｄ１２は、Ｓｄｄ２１の逆方向の伝送特性となる。つまり、図１０のフィルタリング特性は、コモンモードと、差動モードで共通のフィルタリング特性とした。カットオフ周波数は、おおよそ３００〜４００［ＭＨｚ］とする。
【００４９】
配線基板２１のＤ＋ライン２１３及びＤ−ライン２１４について、コイルのインダクタンス及びコンデンサの電気容量を、図１０のフィルタリング特性に設定する。そして、ポート１と、ポート２との間のコモンモード時の伝送特性をネットワークアナライザで計測した結果は、図１１に示すフィルタリング特性となった。同様に、ポート１と、ポート２との間の差動モード時の伝送特性をネットワークアナライザで計測した結果は、図１２に示すフィルタリング特性となった。図１１及び図１２では、周波数に対するフィルタリングのゲインのデジベル量を示す。
【００５０】
図１１では、カットオフ周波数を約３５０［ＭＨｚ］に設定した。図１２ではカットオフ周波数を約４５０［ＭＨｚ］に設定した。図１１及び図１２の伝送特性から、８００［ＭＨｚ］帯では約３０ｄＢの減衰が実現できている。
【００５１】
図１３に、コモンモード又は差動モードにおける周波数に対する伝送信号のゲインのデジベル量を示す。また、図１３に、フィルタリング前の伝送信号を点線で示し、フィルタリング後の伝送信号を実線で示す。図１０に示すフィルタリング特性を、図７の配線基板２１のＤ＋ライン２１３及びＤ−ライン２１４の回路構成に設定すると、図１３で点線に示すフィルタリング前の伝送信号は、実線で示すフィルタリング後の伝送信号となる。例えば、携帯電話機１の無線通信の帯域８００［ＭＨｚ］帯の伝送信号の減衰量Ｄは、約３０［ｄＢ］となる。
【００５２】
本実施の形態の配線基板２１を有するＵＳＢクレードル２を実施した結果、ＵＳＢ通信中の携帯電話機１の受信感度劣化は、全く発生しなくなった。
また、ＵＳＢクレードル２のＵＳＢ伝送帯域を狭めた結果、心配されるＵＳＢ伝送波形の劣化についてであるが、ＵＳＢ規格試験であるＷＨＱＬ（Windows(登録商標) Hardware Quality Labs）試験も何ら支障なく合格している。さらに、通常規定されている５ｍ伝送においても、支障なくＵＳＢ通信が行えた。
【００５３】
以上、本実施の形態によれば、配線基板２１のＤ＋ライン２１３及びＤ−ライン２１４上に設けたコイル及びコンデンサにより、携帯電話機１の無線通信の周波数帯域に対応するＵＳＢ通信のコモンモードのノイズ成分の信号を減衰するＬＰＦを構成することができる。このため、携帯電話機１と外部機器とのＵＳＢ通信の中継中に、携帯電話機１の無線通信の受信感度劣化を防ぐことができる。
【００５４】
また、コイル３０７，３０８，３１１，３１２，３１５，３１６及びコンデンサ３０９，３１０，３１３，３１４を用いてＬＰＦを構成するのであるが、このために必要なインダクタンスは容易に市販のチップインダクタ部品で確保できる。
【００５５】
また、コイル３１５，３１６のインダクタンスを、スプリング２３ａのコイル部の電気的等価のインダクタンスに比し大きくする。このため、スプリング２３ａの形状変化が発生しても、ＬＰＦのカットオフ周波数の変動を低減できる。
【００５６】
（第１の変形例）
図１４を参照して、上記実施の形態の第１の変形例を説明する。図１４に、配線基板２１Ａの裏面の回路構成の概略を示す。
【００５７】
本変形例では、上記実施の形態のＵＳＢクレードル２の配線基板２１を配線基板２１Ａに代える構成とする。配線基板２１Ａは、配線基板２１とＤ＋ライン及びＤ−ラインを異にし、その異なる部分を主として説明する。また、配線基板２１と同じ部分に同じ符号を付している。
【００５８】
図１４に示すように、配線基板２１Ａは、その裏面に、スルーホール３０１〜３０６，３１７と、ＧＮＤ部２１５ａと、Ｄ＋ライン２１３Ａと、Ｄ−ライン２１４Ａと、コイル３１５Ａ，３１６Ａと、コンデンサ３０９Ａ，３１０Ａ，３１３Ａ，３１４Ａと、を備えて構成される。
【００５９】
配線基板２１ＡのＤ＋ライン２１３Ａ及びＤ−ライン２１４Ａの等価回路は、図８の等価回路のコイル３１５，３１６を、コイル３１５Ａ，３１６Ａに代え、コンデンサ３０９，３１０，３１３，３１４を、コンデンサ３０９Ａ，３１０Ａ，３１３Ａ，３１４Ａに代えたものである。さらに、この等価回路は、図８のコイル３０７，３０８，３１１，３１２を、Ｄ＋ライン２１３Ａ及びＤ−ライン２１４Ａのラインインダクタンスに代えたものとなる。
【００６０】
以上、本変形例によれば、上記実施の形態と同様の効果を奏するとともに、コイル３０７，３０８，３１１，３１２を設けず、部品を減らすので、回路を容易に構成でき、その製造コストを低減できる。
【００６１】
（第２の変形例）
図１５を参照して、上記実施の形態の第２の変形例を説明する。図１５に、配線基板２１Ｂの裏面の回路構成の概略を示す。
【００６２】
本変形例では、上記実施の形態のＵＳＢクレードル２の配線基板２１を配線基板２１Ｂに代える構成とする。配線基板２１Ｂは、配線基板２１とＤ＋ライン及びＤ−ラインを異にし、その異なる部分を主として説明する。また、配線基板２１と同じ部分に同じ符号を付している。
【００６３】
図１５に示すように、配線基板２１Ｂは、その裏面に、スルーホール３０１〜３０６，３１７と、ＧＮＤ部２１５ａと、Ｄ＋ライン２１３Ｂと、Ｄ−ライン２１４Ｂと、コンデンサ３０９Ｂ，３１０Ｂ，３１３Ｂ，３１４Ｂと、を備えて構成される。
【００６４】
配線基板２１ＢのＤ＋ライン２１３Ｂ及びＤ−ライン２１４Ｂの等価回路は、図８の等価回路のコンデンサ３０９，３１０，３１３，３１４を、コンデンサ３０９Ｂ，３１０Ｂ，３１３Ｂ，３１４Ｂに代えたものである。さらに、この等価回路は、図８のコイル３０７，３０８，３１１，３１２，３１５，３１６を、Ｄ＋ライン２１３Ｂ及びＤ−ライン２１４Ｂのラインインダクタンスに代えたものとなる。
【００６５】
以上、本変形例によれば、上記実施の形態と同様の効果を奏するとともに、コイル３０７，３０８，３１１，３１２，３１５，３１６を設けず、部品を減らすので、回路を容易に構成でき、その製造コストを低減できる。
【００６６】
なお、上記実施の形態における記述は、本発明に係る携帯情報端末用クレードルの一例であり、これに限定されるものではない。
【００６７】
上記実施の形態及び変形例では、携帯情報端末を携帯電話機１としたが、これに限定されるものではない。ＵＳＢなどの有線通信と無線通信とを行う携帯情報端末であればよく、例えば、ＰＨＳ（Personal Handyphone System）、ＰＤＡ（Personal Digital Assistant）としてもよい。また、上記実施の形態及び変形例では、折り畳み式の携帯電話機１としたが、これに限定されるものではなく、折り畳み式でない一体型の携帯電話機等の携帯情報端末であっても良い。
【００６８】
また、上記実施の形態及び変形例では、携帯情報端末用クレードルを卓上式のＵＳＢクレードル２としたが、本発明はこれに限定されるものではない。例えば、壁掛け式であっても良く、要はデータ通信の中継が可能なクレードルであれば良い。また、上記実施の形態及び変形例では、ＵＳＢクレードル２への携帯電話機１の装着方式を横向きとしたが、これに限定されるものではない。携帯情報端末用クレードルへの携帯情報端末の装着方式は、縦向きでもよい。
【００６９】
また、上記実施の形態及び変形例では、携帯電話機１の無線通信の周波数帯域を８００［ＭＨｚ］帯としたが、これに限定されるものではなく、他の周波数帯域の無線通信としてもよい。また、上記実施の形態及び変形例では、ＵＳＢクレードル２の有線通信としてＵＳＢ通信を用いたが、これに限定されるものではなく、他の方式の有線通信としてもよい。
【００７０】
また、上記実施の形態及び変形例では、減衰手段としてＬＣ回路のＬＰＦを用いる構成としたが、これに限定されるものではない。例えば、減衰手段として携帯電話機１の無線通信の周波数帯域のコモンモードノイズを減衰するバンドパスフィルタとしてもよい。
【００７１】
また、上記実施の形態及び変形例における携帯電話機１及びＵＳＢクレードル２の各構成要素の細部構成及び細部動作に関しては、本発明の趣旨を逸脱することのない範囲で適宜変更可能であることは勿論である。
【図面の簡単な説明】
【００７２】
【図１】本発明に係るＵＳＢクレードル２への携帯電話機１の装着の仕方を示した概略正面図である。
【図２】携帯電話機１を下方から見た底面図である。
【図３】携帯電話機１を示す斜視図である。
【図４】ＵＳＢクレードル２を示した斜視図である。
【図５】携帯電話機１装着状態のＵＳＢクレードル２を縦断して示した側面図である。
【図６】充電端子２２１，２２２及び信号端子２３１〜２３３と、携帯電話機１との接続を示す図である。
【図７】配線基板２１の裏面の回路構成を示す概略図である。
【図８】図７の回路構成の等価回路を示す図である。
【図９】図８の等価回路のコモンモード成分の回路を示す図である。
【図１０】コモンモード時及び差動モード時におけるＤ＋ライン２１３及びＤ−ライン２１４のフィルタリング特性の一例を示す図である。
【図１１】コモンモード時におけるＤ＋ライン２１３及びＤ−ライン２１４の計測したフィルタリング特性を示す図である。
【図１２】差動モード時におけるＤ＋ライン２１３及びＤ−ライン２１４の計測したフィルタリング特性を示す図である。
【図１３】ノイズの減衰の状態を示す図である。
【図１４】配線基板２１Ａの裏面の回路構成を示す概略図である。
【図１５】配線基板２１Ｂの裏面の回路構成を示す概略図である。
【図１６】配線基板２１Ｃの裏面の回路構成を示す概略図である。
【符号の説明】
【００７３】
１  携帯電話機
１０，１１  筐体
１５  端部
１２１，１２２  充電端子面
１３１〜１３３  信号端子面
２  ＵＳＢクレードル
２０  下ケース
２１，２１Ａ，２１Ｂ，２１Ｃ  配線基板
２１１  ＡＣ電源ライン
２１２  ＶBUSライン
２１３，２１３Ａ，２１３Ｂ，２１３Ｃ  Ｄ＋ライン
２１４，２１４Ａ，２１４Ｂ，２１４Ｃ  Ｄ−ライン
２１５，２１６  ＧＮＤライン
２１５ａ  ＧＮＤ部
３０１〜３０６，３１７  スルーホール
３０７，３０８，３１１，３１２，３１５，３１６，３１５Ａ，３１６Ａ，３２１，３２３，３２５  コイル
３０９，３１０，３１３，３１４，３０９Ａ，３１０Ａ，３１３Ａ，３１４Ａ，３０９Ｂ，３１０Ｂ，３１３Ｂ，３１４Ｂ，３２２，３２４  コンデンサ
２２１，２２２  充電端子
２３１，２３２，２３３，２３  信号端子
２２ａ，２３ａ  スプリング
２６  上ケース
２７  カバー
７  コネクタ
８  ＵＳＢコネクタ
【図１】
2008172691.tif 000003
【図２】
2008172691.tif 000004
【図３】
2008172691.tif 000005
【図４】
2008172691.tif 000006
【図５】
2008172691.tif 000007
【図６】
2008172691.tif 000008
【図７】
2008172691.tif 000009
【図８】
2008172691.tif 000010
【図９】
2008172691.tif 000011
【図１０】
2008172691.tif 000012
【図１１】
2008172691.tif 000013
【図１２】
2008172691.tif 000014
【図１３】
2008172691.tif 000015
【図１４】
2008172691.tif 000016
【図１５】
2008172691.tif 000017
【図１６】
2008172691.tif 000018